(57)【要約】      （修正有）【課題】操作者による操作性を向上させることで、読影効率を向上させる医用画像表示装置を提供する。【解決手段】医用画像表示装置１は、医用画像の表示状態を変更することを契機に、当該医用画像に重畳される重畳情報に基づいて、当該重畳情報の表示状態を変更するか否かを制御する表示制御部を有する。例えばオーバーレイ情報の種別が、計測領域や直線、矢印、計測結果のグラフ等「アノテーション」のみが医用画像の拡大操作やスライド操作に追従する。文字列又は数値」の表示状態は、医用画像に対する操作に因らず変更されない。【選択図】図１
2019130038.tif 000002
【特許請求の範囲】
【請求項１】
医用画像の表示状態を変更することを契機に、当該医用画像に重畳される重畳情報に基づいて、当該重畳情報の表示状態を変更するか否かを制御する表示制御部を備える、
医用画像表示装置。
【請求項２】
前記表示制御部は、前記重畳情報が表示される領域が前記医用画像の関心領域に含まれるか否かによって、前記重畳情報の表示状態を変更するか否かを制御する、
請求項１に記載の医用画像表示装置。
【請求項３】
前記重畳情報の種別と前記表示状態を変更するか否かを識別する変更情報とが対応付けられて記憶された記憶部と、
前記医用画像に重畳される重畳情報の種別を識別する識別部と、をさらに備え、
前記表示制御部は、前記識別部により識別された前記重畳情報の種別に対応付けられた前記変更情報を前記記憶部から読み出し、読み出した前記変更情報に基づいて、前記重畳情報の表示状態を変更するか否かを制御する、
請求項１に記載の医用画像表示装置。
【請求項４】
前記医用画像に重畳される重畳情報に、前記表示状態を変更するか否かを識別する変更情報を設定する設定部をさらに備え、
前記表示制御部は、前記設定部により設定された前記変更情報に基づいて、前記重畳情報の表示状態を変更するか否かを制御する、
請求項１に記載の医用画像表示装置。
【請求項５】
前記重畳情報は、文字列、数値、アノテーション、及びシェーマの何れかである、
請求項１乃至４のいずれか１項に記載の医用画像表示装置。
【請求項６】
処理部が、
医用画像の表示状態を変更することを契機に、当該医用画像に重畳される重畳情報に基づいて、当該重畳情報の表示状態を変更するか否かを制御する、
医用画像表示方法。
【発明の詳細な説明】
【技術分野】
【０００１】
本発明の実施形態は、医用画像表示装置及び医用画像表示方法に関する。
【背景技術】
【０００２】
従来、病院等の医療施設では、ＰＡＣＳ（Picture Archiving and Communication）が利用されている。ＰＡＣＳによれば、Ｘ線ＣＴ（Computed Tomography）装置、ＭＲＩ（Magnetic Resonance Imaging）装置、ＰＥＴ（Positron Emission Tomography）等の医用画像生成装置により生成された医用画像データが、病院内のサーバに蓄積される。そして、サーバから操作者（例えば、医者）が使用する表示端末に医用画像データをダウンロードし、表示端末に医用画像として表示することで、医用画像データを視覚的に医者に提供することができる。
【０００３】
また、病院内だけでなく、病院外の遠隔地にあるサーバに医用画像データを転送する遠隔システムも開発されている。このような遠隔システムによれば、操作者（例えば、読影医）が常駐する読影センタのサーバに医用画像データを転送することができ、サーバを介して読影医による高度な読影診断が可能となる。
【先行技術文献】
【特許文献】
【０００４】
【特許文献１】特開平４−３０７０３８号公報
【発明の概要】
【発明が解決しようとする課題】
【０００５】
本発明が解決しようとする課題は、操作者による操作性を向上させることで、読影効率を向上させることである。
【課題を解決するための手段】
【０００６】
実施形態に係る医用画像表示装置は、表示制御部を有する。表示制御部は、医用画像の表示状態を変更することを契機に、当該医用画像に重畳される重畳情報に基づいて、当該重畳情報の表示状態を変更するか否かを制御する。
【図面の簡単な説明】
【０００７】
【図１】図１は、第１の実施形態に係る医用画像表示装置の構成及び機能を示す概略図。
【図２】図２は、第１の実施形態に係る医用画像表示装置において、オーバーレイ情報の種別と変更情報とを対応付けるテーブルの一例を示す図。
【図３】図３は、第１の実施形態に係る医用画像表示装置において、オーバーレイ情報の種別の識別動作をフローチャートとして示す図。
【図４】図４は、第１の実施形態に係る医用画像表示装置の動作をフローチャートとして示す図。
【図５】図５は、第１の実施形態に係る医用画像表示装置において、医用画像データ及び各オーバーレイ情報の一例を表す図。
【図６】図６は、第１の実施形態に係る医用画像表示装置において、医用画像及びオーバーレイ情報の初期の表示例を示す図。
【図７】図７（Ａ）は、医用画像に対する拡大操作後の医用画像及びオーバーレイ情報の表示の比較例を示す図であり、図７（Ｂ）は、第１の実施形態に係る医用画像表示装置において、医用画像に対する拡大操作後の医用画像及びオーバーレイ情報の表示例を示す図。
【図８】図８は、第１の実施形態に係る医用画像表示装置において、医用画像に対するスライド操作後の医用画像及びオーバーレイ情報の表示例を示す図。
【図９】図９は、第２の実施形態に係る医用画像表示装置の構成及び機能を示す概略図。
【図１０】図１０は、第２の実施形態に係る医用画像表示装置の動作をフローチャートとして示す図。
【発明を実施するための形態】
【０００８】
以下、図面を参照しながら、医用画像表示装置及び医用画像表示方法の実施形態について詳細に説明する。
【０００９】
（第１の実施形態）
図１は、第１の実施形態に係る医用画像表示装置１を示す。医用画像表示装置１は、医用画像管理装置（サーバ）や、ワークステーションや、読影端末等であり、ネットワークを介して接続された医用画像システム上に設けられる。なお、医用画像表示装置１は、オフラインの装置であってもよい。
【００１０】
医用画像表示装置１は、処理部１１、記憶部１２、入力部１３、表示部１４、及び通信部１５を備える。
【００１１】
処理部１１は、記憶部１２に記憶された、プログラムを読み出して実行することにより、医用画像表示装置１の各コンポーネントを統括制御するためのプロセッサである。処理部１１がプログラムを実行することにより実現される機能４１，４２については後述する。
【００１２】
記憶部１２は、ＲＡＭ（Random Access Memory）、フラッシュメモリ（Flash Memory）等の半導体メモリ素子、ハードディスク、及び光ディスク等の、プロセッサにより読み取り可能な記録媒体によって構成される。記憶部１２は、ＵＳＢ（Universal Serial Bus）メモリ及びＤＶＤ（Digital Video Disk）等の可搬型メディアによって構成されてもよい。記憶部１２は、処理部１１において用いられる各種処理プログラム（アプリケーションプログラムの他、ＯＳ（Operating System）等も含まれる）や、プログラムの実行に必要なデータ等を記憶する記憶回路である。また、ＯＳに、読影者等の操作者に対する表示部１４への情報の表示にグラフィックを多用し、基礎的な操作を入力部１３によって行うことができるＧＵＩ（Graphical User Interface）を含めることもできる。
【００１３】
加えて、記憶部１２は、医用画像ファイルを記憶する。例えば、医用画像ファイルとは、ＤＩＣＯＭ（Digital Imaging and Communications in Medicine）規格に準拠したデータ形式のファイルである。医用画像ファイルは、互いに関連付けられた医用画像データと付帯情報とを有する。医用画像データは、患者に関する医用画像をＤＩＣＯＭ規格に従って符号化したデータから成る。例えば、医用画像データは、医用画像を構成する各画素に関する画素データの集合であり、医用画像を構成する各画素の座標と表示色に対応するグレー値又はカラー値を表現している。また、付帯情報は、医用画像データが属する患者ＩＤ（Identification）、検査ＩＤ、シリーズＩＤ、画像ＩＤ、画像サイズ、及び画像撮像日時等のＤＩＣＯＭ規格において標準的に利用されている情報を含む。
【００１４】
また、記憶部１２は、付帯情報として、表示された医用画像に重畳される重畳情報、即ち、オーバーレイ情報と、オーバーレイ情報に関連付けられる表示領域情報とを含む。オーバーレイ情報は、その種別として、「文字列」、「数値」、「シェーマ」、「アノテーション」等のうち少なくとも１つのデータを含む。表示領域情報は、オーバーレイ情報が重畳される画面上の領域（座標）を示す。文字列は、文字の集合、つまり、文章を意味する（例えば、図５の符号「ＯＬ１」）。数値は、具体的な値を意味する（例えば、図５の符号「ＯＬ１」）。シェーマは、身体部位の絵図を意味する（例えば、図５の符号「ＯＬ１」）。例えば、シェーマは、人体のモデル画像と、人体のうち医用画像が撮像された位置を示すマーク画像とを含む。
【００１５】
アノテーションは、後に医用画像を再び観察する時のために、又は、他人が観察する時のために、医用画像に付される図形、文字、記号等の総称を意味する（例えば、図５の符号「ＯＬ３」）。例えば、アノテーションは、計測領域や直線、矢印、計測結果（グラフ等）である。記憶部１２は、複数のアノテーションのデータを、操作者により臨床的な意味づけがなされたグループ単位で医用画像のデータに関連付けて記憶する。
【００１６】
アノテーションのデータについて、記憶部１２は、医用画像データに関連づけて記憶する。アノテーションのデータの記憶形式としては、ＤＩＣＯＭ・オーバーレイ形式とＤＩＣＯＭ・ＧＳＰＳ（グレイスケールソフトコピー提示状態：Gray Scale Presentation State）形式とが挙げられる。
【００１７】
第１に、ＤＩＣＯＭ・オーバーレイ形式の場合、アノテーションのデータは、ＤＩＣＯＭ・オーバーレイ情報として、医用画像ファイルに組み込まれる。そのため、ＤＩＣＯＭ・オーバーレイ形式の場合、記憶部１２は、オーバーレイ情報としてのアノテーションのデータが組み込まれた医用画像データと、オーバーレイ情報としての文字列、数値、シェーマ等のデータを含む付帯情報とを含む医用画像ファイルを記憶する。
【００１８】
第２に、ＤＩＣＯＭ・ＧＳＰＳ形式の場合、アノテーションのデータは、ＤＩＣＯＭ・ＧＳＰＳデータとして、医用画像ファイルの付帯情報に組み込まれる。そのため、ＤＩＣＯＭ・ＧＳＰＳ形式の場合、記憶部１２は、医用画像データと、オーバーレイ情報としてのアノテーション、文字列、数値、シェーマ等のデータを含む付帯情報とを含む医用画像ファイルを記憶する。なお、ＤＩＣＯＭ・ＧＳＰＳ形式の場合、アノテーションのデータは、医用画像ファイルとは別のファイルで管理されてもよい。以下、特に言及する場合を除き、ＤＩＣＯＭ・ＧＳＰＳ形式で記憶される場合について説明するが、ＤＩＣＯＭ・オーバーレイ形式の場合であってもよい。
【００１９】
さらに、記憶部１２は、オーバーレイ情報の種別と変更情報とが対応付けられたテーブル（図２に図示）を予め記憶する。変更情報とは、医用画像に重畳される各オーバーレイ情報の表示状態を、医用画像に対する拡大、縮小、スライド、回転等の操作に従って変更するか否かを示す情報（変更又は非変更）である。図２に示すように、テーブルは、例えば、オーバーレイ情報の種別としての「文字列又は数値」に、変更情報「非変更」が対応付けられて成る。
【００２０】
図１の説明に戻って、入力部１３は、操作者によって操作が可能な入力デバイスからの信号を入力する回路と、入力デバイスとを含む。入力デバイスは、トラックボール、スイッチ、マウス、キーボード、走査面に触れることで入力操作を行うタッチパッド、表示画面とタッチパッドとが一化されたタッチスクリーン、光学センサを用いた非接触入力回路、及び音声入力回路等によって実現される。操作者により入力デバイスが操作されると、入力部１３はその操作に応じた入力信号を生成して処理部１１に出力する。
【００２１】
表示部１４は、液晶ディスプレイパネル、プラズマディスプレイパネル、有機ＥＬ（Electro Luminescence）パネル等の表示デバイスである。表示部１４は、処理部１１の制御に従って記憶部１２から読み出された医用画像ファイルに含まれる医用画像データや、オーバーレイ情報を画像として表示する。
【００２２】
通信部１５は、パラレル接続仕様やシリアル接続仕様に合わせたコネクタによって構成される。通信部１５は、各規格に応じた通信制御を行い、電話回線を通じてネットワークに接続することができる機能を有する。これにより、通信部１５は、医用画像表示装置１をネットワークに接続させることができる。
【００２３】
処理部１１が記憶部１２に記憶されたプログラムを実行することによって、医用画像表示装置１の処理部１１は、表示制御機能４１、識別機能４２、変更情報取得機能４３を実現する。なお、医用画像表示装置１の機能４１〜４３がソフトウェアとして機能する場合を例に挙げて説明するが、機能４１〜４３の一部又は全部は、医用画像表示装置１にＡＳＩＣ等の回路として設けられるものであってもよい。
【００２４】
表示制御機能４１は、医用画像の表示状態を変更すること、例えば操作者が医用画像の表示状態を変更操作することを契機に、当該医用画像に重畳される重畳情報に基づいて、当該重畳情報の表示状態を変更するか否かを制御する。例えば、表示制御機能４１は、表示要求された医用画像データを医用画像として表示部１４に表示させると共に、各オーバーレイ情報をその表示領域情報に従って配置して医用画像に重畳する。そして、表示制御機能４１は、医用画像の表示状態を変更する操作を契機に、医用画像に重畳されるオーバーレイ情報の表示状態を変更するか否かを判別する。例えば、医用画像が表示要求されると、表示制御機能４１は、医用画像上に重畳される各オーバーレイ情報の表示状態を、医用画像に対する拡大、縮小、スライド、及び回転等の操作に従って変更するか否かを判別する。表示制御機能４１は、判別の結果、表示状態を変更すると判断されたオーバーレイ情報については、医用画像に対する操作に従って表示状態を変更すると共に、表示状態を変更しないと判断されたオーバーレイ情報については、医用画像に対する操作に因らず表示状態を変更しない制御を行う。なお、表示制御機能４１は、表示制御部の一例である。
【００２５】
ここで、前述したＤＩＣＯＭ・オーバーレイ形式の場合、医用画像に重畳されるオーバーレイ情報には、文字列、数値、及びシェーマ等のデータは含まれるが、アノテーションのデータは含まれない。一方で、前述したＤＩＣＯＭ・ＧＳＰＳ形式の場合、医用画像に重畳されるオーバーレイ情報には、文字列、数値、シェーマ等の他、アノテーション、マーキングのデータも含まれる。
【００２６】
識別機能４２は、医用画像に重畳されるオーバーレイ情報の種別を識別する。例えば、識別機能４２は、表示要求された医用画像を含む医用画像ファイルを取得し、医用画像ファイルに含まれる付帯情報に基づいて、オーバーレイ情報の種別を識別する。また、識別機能４２は、医用画像ファイルに含まれるオーバーレイ情報の種別を、医用画像に定められた関心領域内に配置されるか否かにより識別する。なお、識別機能４２は、識別部の一例である。
【００２７】
変更情報取得機能４３は、識別機能４２による識別により決定されたオーバーレイ情報の種別に対応付けられた変更情報を記憶部１２から取得する、即ち、読み出す。なお、変更情報取得機能４３は、取得部の一例である。
【００２８】
また、表示制御機能４１は、変更情報取得機能４３によって取得された変更情報に基づいて、表示要求された医用画像に重畳されるオーバーレイ情報の表示状態を変更するか否かを判別することができる。例えば、医用画像が表示要求されると、表示制御機能４１は、医用画像に重畳される各オーバーレイ情報の表示状態を、医用画像に対する拡大、縮小、スライド、回転等の操作に従って変更するか否かを変更情報（例えば、図２に図示）に基づいて判別する。表示制御機能４１は、医用画像に定められた関心領域に、オーバーレイ情報が含まれるか否かによって、オーバーレイ情報の表示状態を変更するか否かを判別する。
【００２９】
続いて、医用画像表示装置１の第１の動作について図３を用いて説明する。図３において、ＳＴに数字を付した符号はフローチャートの各ステップを示す。
【００３０】
識別機能４２は、表示要求された医用画像を含む医用画像ファイルを取得し、その医用画像ファイルの付帯情報に含まれる各オーバーレイ情報の種別を識別する（ステップＳＴ１〜ＳＴ４）。まず、識別機能４２は、表示要求された医用画像を含む医用画像ファイルを取得し、その医用画像ファイルの付帯情報に含まれる各オーバーレイ情報の種別が「文字列又は数値」であるか否かを判断する（ステップＳＴ１）。具体的には、ステップＳＴ１において、入力部１３を介した指示に従って医用画像が表示要求されると、記憶部１２から、表示要求された医用画像を含む医用画像ファイルが取得される。取得される医用画像ファイルは、医用画像データ及び付帯情報を含む。付帯情報は、オーバーレイ情報とその表示領域情報を含む。
【００３１】
ステップＳＴ１の判断にてＹＥＳの場合、識別機能４２は、当該オーバーレイ情報の種別を「文字列又は数値」と判断する。「文字列又は数値」の例を、図５に符号「ＯＬ１」で示す。
【００３２】
ステップＳＴ１の判断にてＮＯ、即ち、オーバーレイ情報の種別が「文字列又は数値」でないと判断された場合、識別機能４２は、ステップＳＴ１によって取得された医用画像ファイルの付帯情報に含まれる各オーバーレイ情報の表示領域情報に基づいて、各オーバーレイ情報が、医用画像の関心領域内に配置されるものであるか否かを判断する（ステップＳＴ２）。関心領域の例を、図５に符号「Ｒ」で示す。ここで、識別機能４２は、医用画像に含まれる体輪郭内の領域や、体輪郭を含む矩形内の領域等を関心領域Ｒとして設定することができる。関心領域は、入力部１３を介した指示、または、一般的なエッジ抽出処理により設定される。
【００３３】
ここで、識別機能４２は、各オーバーレイ情報の少なくとも一部が関心領域内に配置されるものであるか否かを判断してもよいし、各オーバーレイ情報の全部が関心領域内に配置されるものであるか否かを判断してもよい。
【００３４】
ステップＳＴ２に判断にてＹＥＳ、即ち、各オーバーレイ情報が関心領域内に配置されるものであると判断された場合、識別機能４２は、当該オーバーレイ情報の種別を「アノテーション」と判断する（ステップＳＴ３）。「アノテーション」の例を、図５に符号「ＯＬ３」で示す。一方、ステップＳＴ２に判断にてＮＯ、即ち、各オーバーレイ情報が関心領域内に配置されるものではないと判断された場合、識別機能４２は、当該オーバーレイ情報の種別を「シェーマ」と判断する（ステップＳＴ４）。「シェーマ」の例を、図５に符号「ＯＬ２」で示す。
【００３５】
変更情報取得機能４３が、図２に示すテーブルを参照し、ステップＳＴ１〜ＳＴ４による識別により決定されたオーバーレイ情報の種別に対応する変更情報を取得すると、表示制御機能４２は、取得された変更情報に従って、オーバーレイ情報の表示状態を、医用画像に対する拡大、縮小、スライド、及び回転等の操作に従って変更するか否かを判別する。例えば、図２では、オーバーレイ情報「文字列又は数値」の表示状態は、医用画像に対する操作に因らず変更されない「非変更」として定義される。
【００３６】
続いて、第１の動作に続く、医用画像表示装置１の第２の動作について図４を用いて説明する。図４において、ＳＴに数字を付した符号はフローチャートの各ステップを示す。
【００３７】
表示制御機能４１は、取得された医用画像ファイルに含まれる医用画像データを医用画像として表示部１４に表示すると共に、医用画像ファイルに含まれる付帯情報としてのオーバーレイ情報を、対応する表示領域情報に従って医用画像に重畳する（ステップＳＴ５）。ステップＳＴ５による初期状態の表示例を図６に示す。
【００３８】
入力部１３を介した指示に従って、表示された医用画像の操作が行なわれると（ステップＳＴ６）、表示制御機能４１は、操作に従って医用画像を変更表示する。また、表示制御機能４１は、各オーバーレイ情報を、オーバーレイ情報の種別に対応付けられた変更情報に基づいて変更するか否かを制御する。オーバーレイ情報の種別が「アノテーションＯＬ２」の場合、表示制御機能４１は、医用画像の操作に従って、オーバーレイ情報の表示状態を変更する。また、オーバーレイ情報の種別が「文字列または数値ＯＬ１」あるいは「シェーマＯＬ３」の場合、表示制御機能４１は、オーバーレイ情報の表示状態を維持する。即ち、ステップＳＴ７において、図２に示す変更情報「変更」に相当するオーバーレイ情報「アノテーション」のみが医用画像の操作に追従する。
【００３９】
つまり、表示制御機能４１は、ステップＳＴ７において、オーバーレイ情報の種別が文字列又は数値であるか否か（図３のステップＳＴ１）や、オーバーレイ情報が表示される領域が医用画像の関心領域に含まれるか否か（図３のステップＳＴ２）によって、オーバーレイ情報の表示状態を変更するか否かを制御する。
【００４０】
図７（Ａ）に示す従来の表示例によれば、医用画像の拡大操作に従って、オーバーレイ情報「文字列及び数値」、「アノテーション」、及び「シェーマ」の全ての表示状態が拡大操作に従って拡大変更表示される。一方で、医用画像表示装置１によれば、図７（Ｂ）に示すように、医用画像の拡大操作に従って、オーバーレイ情報「アノテーション」のみの表示状態が拡大操作に従って拡大変更表示される。なお、医用画像表示装置１において、医用画像のスライド操作に従って、オーバーレイ情報「アノテーション」のみの表示状態がスライド操作に従ってスライド変更表示される場合の表示例を図８に示す。
【００４１】
表示制御機能４１は、表示された医用画像に対する操作を続けるか否かを判断する（ステップＳＴ８）。例えば、表示制御機能４１は、入力部１３を介して読影終了の指示があった場合、表示された医用画像に対する操作を終了すると判断する。
【００４２】
ステップＳＴ８の判断にてＹＥＳ、即ち、入力部１３を介して読影終了の指示があった場合、医用画像表示装置１は、表示要求された医用画像についての表示動作を終了する。一方、ステップＳＴ８の判断にてＮＯ、即ち、入力部１３を介して読影終了の指示がない場合、医用画像表示装置１は、ステップＳＴ６に戻る。
【００４３】
以上説明したように、医用画像表示装置１によれば、表示要求された医用画像に対応する複数のオーバーレイ情報を、医用画像の表示状態の変更に従って表示状態を変更するものとしないものに分類することができる。したがって、医用画像表示装置１によれば、操作者による操作性を向上させることができ、もって読影効率を向上させることができる。
【００４４】
（第２の実施形態）
第２の実施形態では、オーバーレイ情報毎に変更情報を個別に設定する例を説明する。
【００４５】
図９は、第２の実施形態に係る医用画像表示装置１Ａを示す。医用画像表示装置１Ａは、医用画像表示装置１（図１に図示）の変形例である。
【００４６】
医用画像表示装置１Ａは、処理部１１Ａ、記憶部１２、入力部１３、表示部１４、及び通信部１５を備える。なお、医用画像表示装置１１Ａが備える記憶部１２、入力部１３、表示部１４、及び通信部１５の構成及び機能については前述したので説明を省略する。
【００４７】
処理部１１Ａは、記憶部１２に記憶されたプログラムを読み出して実行することにより、医用画像表示装置１Ａの各コンポーネントを統括制御するためのプロセッサである。処理部１１Ａがプログラムを実行することにより実現される機能４１Ａ，４２，４３Ａについては後述する。
【００４８】
処理部１１Ａが記憶部１２に記憶されたプログラムを実行することによって、医用画像表示装置１Ａの処理部１１Ａは、表示制御機能４１Ａ、識別機能４２、変更情報設定機能４３Ａを実現する。なお、医用画像表示装置１Ａの機能４１Ａ，４２，４３Ａがソフトウェアとして機能する場合を例に挙げて説明するが、機能４１Ａ，４２，４３Ａの一部又は全部は、医用画像表示装置１ＡにＡＳＩＣ等の回路として設けられるものであってもよい。また、図９において、図１に示す部材と同一部材には同一符号を付して説明を省略する。
【００４９】
変更情報設定機能４３Ａは、表示制御部４１Ａによる制御により医用画像に重畳されたオーバーレイ情報毎に、変更情報を設定する。例えば、変更情報設定機能４３Ａは、入力部１３を介した指示に従って、表示されたオーバーレイ情報毎に変更情報を設定する。なお、変更情報設定機能４３Ａは、設定部の一例である。
【００５０】
表示制御機能４１Ａは、変更情報設定機能４３Ａによって設定された変更情報に基づいて、表示要求された医用画像に重畳されるオーバーレイ情報の表示状態を変更するか否かを判別する。例えば、医用画像が表示要求されると、表示制御機能４１Ａは、医用画像に重畳される各オーバーレイ情報の表示状態を、医用画像に対する拡大、縮小、スライド、及び回転等の操作に従って変更するか否かを、設定された変更情報に基づいて判別する。
【００５１】
続いて、医用画像表示装置１Ａの動作について図１０を用いて説明する。図１０において、ＳＴに数字を付した符号はフローチャートの各ステップを示す。なお、図１０において、図３及び図４に示すステップと同一ステップには同一符号を付して説明を省略する。
【００５２】
表示制御機能４１Ａは、医用画像ファイルに含まれる医用画像データを医用画像として表示部１４に表示すると共に、医用画像ファイルに含まれる付帯情報としてのオーバーレイ情報を、対応する表示領域情報に従って医用画像に重畳する（ステップＳＴ１５）。変更情報設定機能４３Ａは、表示されたオーバーレイ情報毎に、変更情報を設定する（ステップＳＴ１６）。例えば、変更情報設定機能４３Ａは、入力部１３を介した指示に従って、表示されたオーバーレイ情報毎に変更情報を設定する。
【００５３】
表示制御機能４１Ａは、ステップＳＴ１６によって設定された変更情報に従って、オーバーレイ情報の表示状態を、医用画像に対する拡大、縮小、スライド、及び回転等の操作に従って変更するか否かを判別する（ステップＳＴ１７）。また、ステップＳＴ８の判断にてＮＯ、即ち、入力部１３を介して読影終了の指示がない場合、医用画像表示装置１Ａは、ステップＳＴ１６に戻る。つまり、医用画像に対する１度目の操作の前に各オーバーレイ情報の変更情報が設定されても、２度目以降の操作の度に変更情報が再設定されることになる。
【００５４】
なお、ステップＳＴ８の判断にてＮＯ、即ち、入力部１３を介して読影終了の指示がない場合、医用画像表示装置１Ａは、ステップＳＴ１３に戻ってもよい。その場合、医用画像に対する１度目の操作の前に各オーバーレイ情報の変更情報が設定されれば、２度目以降の操作についても当該変更情報が利用されることになる。
【００５５】
以上説明したように、医用画像表示装置１Ａによれば、表示要求された医用画像に対応する複数のオーバーレイ情報を、医用画像の表示状態の変更に従って表示状態を変更するものとしないものに分類することができる。したがって、医用画像表示装置１Ａによれば、操作者による操作性を向上させることができ、もって読影効率を向上させることができる。
【００５６】
なお、第１の実施形態に係る医用画像表示装置１の機能と、第２の実施形態に係る医用画像表示装置１Ａの機能とを組み合わせてもよい。その場合、変更情報設定機能４３Ａは、変更情報取得機能４３によって取得された変更情報を、医用画像に重畳されたオーバーレイ情報を選択して変更設定することできる。
【００５７】
以上説明した少なくとも１つの実施形態によれば、操作者による操作性を向上させることで、読影効率を向上させることができる。
【００５８】
なお、上記実施形態において、「プロセッサ」という文言は、専用又は汎用のＣＰＵ（Central Processing Unit）又はＭＰＵ（Micro Processor Unit）の他、特定用途向け集積回路（ＡＳＩＣ：Application Specific Integrated Circuit）、及び、プログラマブル論理デバイス等の処理回路を意味する。プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）、及び、フィールドプログラマブルゲートアレイ（ＦＰＧＡ：Field Programmable Gate Array）等の回路が挙げられる。プロセッサは、記憶媒体に保存されたプログラムを読み出して実行することにより、各種機能を実現する。
【００５９】
また、上記実施形態では処理部の単一のプロセッサが各機能を実現する場合の例について示したが、複数の独立したプロセッサを組み合わせて処理部を構成し、各プロセッサが各機能を実現してもよい。また、プロセッサが複数設けられる場合、プログラムを記憶する記憶媒体は、プロセッサごとに個別に設けられてもよいし、１つの記憶媒体が全てのプロセッサの機能に対応するプログラムを一括して記憶してもよい。
【００６０】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６１】
１，１Ａ  医用画像表示装置
１１，１１Ａ  処理部
１２  記憶部
４１，４１Ａ  表示制御機能
４２  識別機能
４３  変更情報取得機能
４３Ａ  変更情報設定機能
【図１】
2019130038.tif 000003
【図２】
2019130038.tif 000004
【図３】
2019130038.tif 000005
【図４】
2019130038.tif 000006
【図５】
2019130038.tif 000007
【図６】
2019130038.tif 000008
【図７】
2019130038.tif 000009
【図８】
2019130038.tif 000010
【図９】
2019130038.tif 000011
【図１０】
2019130038.tif 000012